(57)【特許請求の範囲】
【請求項１】
パネルの円形の水栓取付孔に水栓取付金具が固定され、該水栓取付金具に水栓が固定された水栓取付構造であって、
該水栓取付金具は、該パネルの裏側に配置され、該水栓取付孔の周縁に沿って延在するＣ字形金具と、該パネルの表側に配置された台座部材と、該台座部材とＣ字形金具とを固結しているボルトとを備えてなる水栓取付構造において、
該パネルの裏側に、円形の該水栓取付孔の円の弦方向の延長方向に延在する段差面が設けられており、該Ｃ字形金具の両端が該段差面に当接していることを特徴とする水栓取付構造。
【請求項２】
請求項１において、前記パネルは上下方向に配置され、前記段差面は水平方向に延設されており、
前記台座部材の下面に雌ネジ孔が設けられており、
前記水栓は、その基端側が該台座部材に嵌合し、該雌ネジ孔にねじ込まれたねじ部材によって該台座部材に固定されていることを特徴とする水栓取付構造。
【請求項３】
請求項１又は２において、水栓は、ハンドル本体と該ハンドル本体に外嵌したハンドルキャップとを備えており、該ハンドル本体の外周面とハンドルキャップの内周面とにＯリング装着用の溝が設けられ、該溝に装着されたＯリングによってハンドルキャップが該ハンドル本体に係止されており、且つ該ハンドルキャップの溝の角部が該Ｏリングに弾性的に当接していることを特徴とする水栓取付構造。
【発明の詳細な説明】
【０００１】
【発明の属する技術分野】
本発明は、パネルに水栓を取り付けた水栓取付構造に係り、特に水栓の向きが確実に規定方向となるように改良された水栓取付構造に関する。詳しくは本発明は、パネル表側に配置される台座部材とパネル裏側に配置されるＣ字形金具と、これらを固結するためのボルトを備えてなる水栓取付金具を用いて水栓をパネルに固定した構造に関する。
【０００２】
【従来の技術】
水栓をパネルに固定するために、パネル表側に配置される台座部材と、パネル裏側に配置されるＣ字形金具と、これらを固結するためのボルトを備えてなる水栓取付金具を用いることがある。第1図及び第２図はこの水栓取付金具を示す斜視図である。
【０００３】
この水栓取付金具１０は、短い筒状の環形の台座部材１２と、Ｃ字形部材１４と、これら台座部材１２及びＣ字形部材１４を固結するための２本のボルト１６，１８を有している。台座部材１２の内周からは台座部材の軸心線と平行方向に延在する凸条２０，２２が突設され、この凸条２０，２２に貫設されたボルト挿通孔（素孔よりなる。図示略。）に前記ボルト１６，１８がそれぞれ挿通されている。台座部材１２の基端側からは、パネル３０の水栓取付孔３２に差し込まれる短い突起２４が突設されている。また、台座部材１２の基端側からは外方にフランジ２６が拡設されている。このフランジ２６は水栓取付孔３２の表側の縁部に当接される。台座部材１２の環壁には、雌ネジ孔２８が台座部分の軸心線と直交方向に貫通するように設けられている。
【０００４】
前記Ｃ字形部材１４は、内方に２個の凸部１４Ｓ，１４Ｔが設けられ、該凸部１４Ｓ，１４Ｔにそれぞれボルト１６，１８がねじ込まれる雌ネジ孔が設けられている。
【０００５】
凸部１４Ｔの雌ネジ孔と同軸となるように該凸部１４Ｔに略Ω字形状の弾力性を有した合成樹脂製のキャッチャ３６が取り付けられている。このキャッチャ３６は、ボルト１８を受容して離さないように掴むためのものである。なお、Ｃ字形部材１４には、パネル３０の裏面に組い込み得る爪様の小突起１４ａが多数設けられている。
【０００６】
第２図のように、ボルト１８を後退させた状態でＣ字形部材１４をパネル３０の表側から水栓取付孔３２に差し込み、Ｃ字形部材１４をパネル３０の裏側に配置し、台座部材１２をパネル３０の表側に配置する。次いで、ボルト１８を押し込んだ後、ボルト１６を回すと、第１図（Ｂ）の矢印ＲのようにＣ字形部材１４がボルト１６と共回りし、キャッチャ３６がボルト１８の先端に当ってこれを掴んで離さないようになる。そこで、ボルト１６，１８をドライバ３８とスパナ（図示略）によって十分にねじ込み、水栓取付金具１０をパネル３０に堅固に固定する。なお、水栓取付孔３２の縁部が台座部材１２とフランジ２６との間で強力に狭持される。
【０００７】
その後、この水栓取付金具１０に水栓（第１，２図では図示略）を取り付ける。この際、水栓の基端側を台座部材１２に嵌合させ、水栓のビス孔を通してビスを雌ネジ孔２８にねじ込む。
【０００８】
【発明が解決しようとする課題】
上記の水栓取付金具１０を用いて水栓を立壁面（パネル３０が上下方向に設けられている。）に取り付ける場合、水栓の吐水口が正確に下向きとなるように水栓の姿勢決めを伴う必要があり、そのためには雌ネジ孔２８が正確に下向きとなるように水栓取付金具１０を水栓取付孔３２に固定する必要がある。また、水平なパネル（例えばカウンター）に水栓を取り付ける場合には、水栓が正確に前方を向くように水栓取付金具１０を水栓取付孔３２に固定する必要がある。
【０００９】
本発明は、この水栓取付金具１０の姿勢決めをきわめて簡単かつ高精度にて行うことができる水栓取付構造を提供することを目的とする。
【００１０】
【課題を解決するための手段】
本発明の水栓取付構造は、パネルの円形の水栓取付孔に水栓取付金具が固定され、該水栓取付金具に水栓が固定された水栓取付構造であって、該水栓取付金具は、該パネルの裏側に配置され、該水栓取付孔の周縁に沿って延在するＣ字形金具と、該パネルの表側に配置された台座部材と、該台座部材とＣ字形金具とを固結しているボルトとを備えてなる水栓取付構造において、円形の該パネルの裏側に、該水栓取付孔の円の弦方向の延長方向に延在する段差面が設けられており、該Ｃ字形金具の両端が該段差面に当接していることを特徴とするものである。
【００１１】
かかる水栓取付構造にあっては、Ｃ字形部材の両端を段差面に当接させることにより、雌ネジ孔の指向方向が正確に段差面と垂直方向に一義的に定まる。これにより、水栓を正確に且つきわめて容易に姿勢決めすることができる。
【００１２】
本発明の一態様では、パネルは上下方向に配置され、段差面は水平方向に延設されており、台座部材の下面に雌ネジ孔が設けられており、水栓は、その基端側が台座部材に嵌合し、雌ネジ孔にねじ込まれたねじ部材によって台座部材に固定されている。かかる構成とすることにより、水栓の吐水口が正確に下向きとなるようにパネルに水栓を取付ることが可能となる。
【００１３】
【発明の実施の形態】
以下、図面を参照して実施の形態について説明する。第６図（ａ），（ｂ），（ｃ）は本発明の実施の形態に係る水栓取付構造によって水栓６０をパネル３０に固定した手洗器５０付きのキャビネット４０の平面図、正面図及び断面図、図７は同斜視図である。なお、第６図（ｃ）は第６図（ｂ）のＣ−Ｃ線に沿う断面図である。
【００１４】
キャビネット４０の上面のカウンター４２に手洗器５０が設置され、この手洗器５０の後面側にパネル３０が立設されている。このパネル３０の水栓取付孔３２に水栓取付金具１０が固定され、この水栓取付金具１０に水栓６０が固定されている。水栓６０に連なる給水ホース５９と手洗器５０の排水管具５２に排水トラップ５３を介して連なった排水ホース５６がそれぞれキャビネット４０内を引き回されている。５７，５８はこれらのホースの留め具を示す。４４はキャビネット４０の扉、４５はサニタリボックス４６，４８はサニタリボックス７２の収容スペースを区画するための板材、４９はキャビネットの蹴込みを示す。
【００１５】
なお、給水ホース５９と水栓６０との接続部はパネル３０の表側となるので、給水ホース５９の曲げの曲率半径を大きくとることができる。従って、パネル３０の裏側のスペースが小さい（奥行きが短い）ときでも、給水ホース５９の折れが防止される。
【００１６】
第３図〜第５図は、このパネル３０への水栓６０の取付構造の説明図であり、第３図（ａ）はパネル３０の背後の斜視図、同（ｂ）は同（ａ）のＢ−Ｂ線に沿う断面図、第４図は水栓取付金具の取付状態図、第５図は水栓の固定状態図である。
【００１７】
このパネル３０は、裏面に固着された裏打ち板３４を備えており、この裏打ち板３４の上端面よりなる段差面３４ａは水平に延在し、且つ水栓取付孔３２を
横断する高さに配置されている。この段差面３４ａの高さは、水栓取付孔３２の中心よりも若干下側となっている。この段差面３４ａからは円弧形の凹部３４ｂが凹設されており、この凹部３４ｂの周面は水栓取付孔３２の内周面と連続面となっている。
【００１８】
水栓取付金具１０の構成とそのパネル３０への取付手順は、前記第１，２図に示した通りのものである。この水栓取付金具１０のＣ字形部材１４は、その両端が段差面３４ａに当接しており、これによって台座部材１２の雌ネジ孔２８が第４図（Ｂ）の通り正確に鉛直下向きとなっている。
【００１９】
この台座部材１２に水栓６０の基端側が嵌合され、ビス６２が水栓６０のビス挿通孔６４を通して雌ネジ孔２８にねじ込まれる。このビス挿通孔６４と同方向に吐水口６６が設けられているので、吐水口６６は正確に下向きになる。なお、ビス６２を着脱することにより水栓６０を台座部材に着脱できるので、水栓６０の着脱をパネル３０の前面から行うことができ、交換その他のメンテナンスが容易となる。
【００２０】
この水栓６０のハンドル７０を回すと、弁体７２が進退し、該弁体７２が弁シート部７４に接離して吐水、止水が切り替えられる。
【００２１】
このハンドル７０は、ハンドル軸の先端にボルトによって固着されたハンドル本体８２と、このハンドル本体８２に冠着されたハンドルキャップ８４とを有する。ハンドル本体８２の外周面とハンドルキャップ８２の内周面にはそれぞれＯリング装着用の溝８６，８８が設けられており、ハンドル本体の溝８６にＯリング９０が配置されている。このＯリング９０は、該溝８６から若干だけ外方にはみ出している。
【００２２】
溝８８は溝８６と少しハンドル７０の軸心線方向にずれており、溝８８の角部（水栓の後方側の角部）８８Ｅが該Ｏリング９０に食い込むように接している。このように角部８８ＥがＯリング９０に当接しているため、ハンドルキャップ８４にはガタツキが全く生じない。
【００２３】
【発明の効果】
以上の通り、本発明の水栓取付構造によると、水栓をきわめて容易かつ正確に規定姿勢にてパネルに取り付けることができる。また、本発明によると、水栓のハンドルキャップのガタツキを防止するよう構成することも可能である。
【図面の簡単な説明】
【図１】水栓取付金具の斜視図である。
【図２】水栓取付金具の取付状態を示す斜視図である。
【図３】（Ａ）図は実施の形態に係る水栓取付構造のパネルを示す背後側の斜視図、（Ｂ）図はこの（Ａ）図のＢ−Ｂ線に沿う断面図である。
【図４】（Ａ）図は実施の形態に係る水栓取付構造のパネルを示す背後側の斜視図、（Ｂ）図はこの（Ａ）図のＢ−Ｂ線に沿う断面図である。（Ｃ）図はこの（Ｂ）図のＣ−Ｃ線に沿う断面図である。
【図５】（Ａ）図は実施の形態に係る水栓取付構造及びその水栓を示す縦断面図、（Ｂ）図は（Ａ）図のＢ部分の拡大図である。
【図６】（ａ），（ｂ），（ｃ）は本発明の実施の形態に係る水栓取付構造によって水栓６０をパネル３０に固定した手洗器５０付きのキャビネット４０の平面図、正面図及び断面図である。
【図７】本発明の実施の形態に係る水栓取付構造によって水栓６０をパネル３０に固定した手洗器５０付きのキャビネット４０の斜視図である。
【符号の説明】
１０  水栓取付金具
１２  台座部材
１４  Ｃ字形部材
１６，１８  ボルト
２８  雌ネジ孔
３０  パネル
３２  水栓取付孔
３４  裏打ち板
３４ａ  段差面
４０  キャビネット
５０  手洗器
６０  水栓
６２  ビス
６４  ビス挿通孔
７０  ハンドル
８２  ハンドル本体
８４  ハンドルキャップ
８６，８８  Ｏリング装着用の溝
８８Ｅ  角部
９０  Ｏリング
【図１】
0003740954.tif 000002
【図２】
0003740954.tif 000003
【図３】
0003740954.tif 000004
【図４】
0003740954.tif 000005
【図５】
0003740954.tif 000006
【図６】
0003740954.tif 000007
【図７】
0003740954.tif 000008